【手続補正書】
【提出日】平成16年12月6日(2004.12.6)
【手続補正１】
【補正対象書類名】明細書
【補正対象項目名】発明の名称
【補正方法】変更
【補正の内容】
【発明の名称】画像処理装置、画像処理方法、および画像表示装置
【手続補正２】
【補正対象書類名】明細書
【補正対象項目名】特許請求の範囲
【補正方法】変更
【補正の内容】
【特許請求の範囲】
【請求項１】
液晶に印加される電圧に対応する画像の各画素の階調値を表す画像データを、前記各画素における階調値の時間的な変化に基づいて補正して出力する画像データ処理装置であって、
現フレームの画像データを符号化することにより当該現フレームの画像データに対応する符号化画像データを出力する符号化手段と、
前記符号化画像データを復号化して前記現フレームの画像データに対応する第１の復号化画像データを出力する復号化手段と、
前記符号化画像データを１フレームに相当する期間遅延することにより、前記現フレームの１フレーム前の画像データに対応する符号化画像データを出力する遅延手段と、
前記遅延手段により出力される前記符号化画像データを復号化して前記現フレームの１フレーム前の画像データに対応する第２復号化画像データを出力する復号化手段と、
前記第１の復号化画像データ、および前記第２復号化画像データに基づいて、前記現フレームと当該現フレームの１フレーム前の画像との間における階調値の変化量を算出する変化量算出手段と、
前記現フレームの画像データ、および前記変化量に基づいて、前記現フレームの１フレーム前の画像データに対応する１フレーム前再生画像データを再生する前フレーム画像再生手段と、
前記現フレームの画像データ、および前記１フレーム前再生画像データに基づいて、前記現フレームの画像の階調値を補正するための補正データを出力する補正データ出力手段と、
前記変化量から前記現フレームの画像データに含まれるノイズ成分を検出し、検出されたノイズ成分に基づいて前記補正データの値を調整するデータ補正手段と、
調整された前記補正データに基づいて前記現フレームの画像データを補正する手段とを備えたことを特徴とする画像データ処理装置。
【請求項２】
前記補正データ出力手段は、液晶が所定期間内に前記現フレームの画像データにより指定される所定の透過率に到達するよう補正された画像データが格納されたルックアップテーブルと、
前記ルックアップテーブルから読み出される前記補正された画像データと、前記現フレームの画像データとの差分を算出する手段とを備え、
前記差分を前記補正データとして出力することを特徴とする請求項１に記載の画像データ処理装置。
【請求項３】
前記補正データ出力手段は、前記補正データを格納したルックアップテーブルを備えることを特徴とする請求項１に記載の画像データ処理装置。
【請求項４】
前記補正データ出力手段は、現フレームの画像データおよび１フレーム前再生画像データを削減することにより、ビット数変換された現フレームの画像データおよびビット数変換された１フレーム前再生画像データを出力する手段と、
前記ビット数変換された現フレームの画像データおよび前記ビット数変換された１フレーム前再生画像データに基づいて、現フレームの画像データの補正量に対応するＬＵＴデータを読み出すルックアップテーブルと、
前記ＬＵＴデータを、前記現フレームの画像データおよび前記１フレーム前再生画像データに基づいて補間し、前記データの補間値を出力する手段と、
前記変化量が０の場合、前記補間値の値を０とする手段とを備え、
前記補間値を前記補正データとして出力することを特徴とする請求項１に記載の画像処理装置。
【請求項５】
請求項１〜４に記載の画像処理装置を備えたことを特徴とする液晶表示装置。
【請求項６】
液晶に印加される電圧に対応する画像の各画素の階調値を表す画像データを、前記各画素における階調値の時間的な変化に基づいて補正して出力する画像データ処理方法であって、
現フレームの画像データを符号化することにより当該現フレームの画像データに対応する符号化画像データを出力する工程と、
前記符号化画像データを復号化して前記現フレームの画像データに対応する第１の復号化画像データを出力する工程と、
前記符号化画像データを１フレームに相当する期間遅延した後に復号化して前記現フレームの１フレーム前の画像データに対応する第２復号化画像データを出力する工程と、
前記第１の復号化画像データ、および前記第２復号化画像データに基づいて算出される前記現フレームと当該現フレームの１フレーム前の画像との間における階調値の変化量に基づいて、前記現フレームの１フレーム前の画像データに対応する１フレーム前再生画像データを再生する工程と、
前記現フレームの画像データ、および前記１フレーム前再生画像データに基づいて、前記現フレームの画像の階調値を補正するための補正データを出力する工程と、
前記変化量から前記現フレームの画像データに含まれるノイズ成分を検出し、検出されたノイズ成分に基づいて前記補正データの値を調整する工程と、
調整された前記補正データに基づいて前記現フレームの画像データを補正する工程とを備えたことを特徴とする画像データ処理方法。
【請求項７】
現フレームの画像データおよび１フレーム前再生画像データを削減することにより、ビット数変換された現フレームの画像データおよびビット数変換された１フレーム前再生画像データを出力する工程と、
前記ビット数変換された現フレームの画像データおよび前記ビット数変換された１フレーム前再生画像データに基づいて、現フレームの画像データの補正量に対応するＬＵＴデータをルックアップテーブルから読出す工程と、
前記ＬＵＴデータを、前記現フレームの画像データおよび前記１フレーム前再生画像データに基づいて補間し、前記データの補間値を出力する工程と、
前記変化量が０の場合は前記補間値の値を０とする工程とをさらに備え、
前記補間値を前記補正データとして出力することを特徴とする請求項６に記載の画像処理方法。
【手続補正３】
【補正対象書類名】明細書
【補正対象項目名】００１１
【補正方法】変更
【補正の内容】
【００１１】
【課題を解決するための手段】
この発明による画像処理装置は、液晶に印加される電圧に対応する画像の各画素の階調値を表す画像データを、前記各画素における階調値の時間的な変化に基づいて補正して出力する画像データ処理装置であって、
現フレームの画像データを符号化することにより当該現フレームの画像データに対応する符号化画像データを出力する符号化手段と、
前記符号化画像データを復号化して前記現フレームの画像データに対応する第１の復号化画像データを出力する復号化手段と、
前記符号化画像データを１フレームに相当する期間遅延することにより、前記現フレームの１フレーム前の画像データに対応する符号化画像データを出力する遅延手段と、
前記遅延手段により出力される前記符号化画像データを復号化して前記現フレームの１フレーム前の画像データに対応する第２復号化画像データを出力する復号化手段と、
前記第１の復号化画像データ、および前記第２復号化画像データに基づいて、前記現フレームと当該現フレームの１フレーム前の画像との間における階調値の変化量を算出する変化量算出手段と、
前記現フレームの画像データ、および前記変化量に基づいて、前記現フレームの１フレーム前の画像データに対応する１フレーム前再生画像データを再生する前フレーム画像再生手段と、
前記現フレームの画像データ、および前記１フレーム前再生画像データに基づいて、前記現フレームの画像の階調値を補正するための補正データを出力する補正データ出力手段と、
前記変化量から前記現フレームの画像データに含まれるノイズ成分を検出し、検出されたノイズ成分に基づいて前記補正データの値を調整するデータ補正手段と、
調整された前記補正データに基づいて前記現フレームの画像データを補正する手段とを備えたものである。
【手続補正４】
【補正対象書類名】明細書
【補正対象項目名】０１０７
【補正方法】変更
【補正の内容】
【０１０７】
【発明の効果】
この発明に係る画像処理装置、および画像処理方法は、現フレームの画像データに含まれるノイズ成分を検出し、検出されたノイズ成分に基づいて調整される補正データを用いて現フレームの画像データを補正するので、ノイズ成分を強調することなく液晶の応答速度を改善することができる。